(57)【要約】【課題】画像を書き換えるには長時間を要する表示装置で、進捗率をユーザーにストレスを感じさせない時間間隔で報知可能にする。【解決手段】明状態、暗状態および明状態と暗状態の間の１つ以上の中間状態を表示し、表示にメモリ性を有する表示デバイスと、表示デバイス10に表示画像を書き込む駆動回路15,16と、表示画像の書き換え指示を受信する受信回路29と、指示された画像を表示するように駆動回路を制御する制御回路27と、を含み、制御回路は、受信回路が書き換え指示を受信した後、表示画像の書き換え準備中であることを、明状態および暗状態の表示を使用して表示するように、駆動回路を制御する。【選択図】図２
2011197608.tif 000002
【特許請求の範囲】
【請求項１】
明状態、暗状態および前記明状態と前記暗状態との間の１つ以上の中間状態を表示し、前記表示にメモリ性を有する表示デバイスと、
前記表示デバイスに表示画像を書き込む駆動回路と、
前記表示画像の書き換え指示を受信する受信回路と、
指示された画像を表示するように前記駆動回路を制御する制御回路と、を備え、
前記制御回路は、
前記受信回路が書き換え指示を受信した後、前記表示画像の書き換え準備中であることを、前記明状態および前記暗状態の表示を使用して表示するように、前記駆動回路を制御することを特徴とする表示装置。
【請求項２】
前記制御回路は、
前記指示された画像の前記表示デバイスへの書き込みに使用する前記駆動回路の制御データの準備に要する予測時間を算出する予測待ち時間算出部を、備え、
算出した前記予測時間から、前記受信回路が書き換え指示を受信した後の経過時間を減じた残り時間に応じて、前記表示画像の書き換え準備中であることの表示を異ならせることを特徴とする請求項１に記載の表示装置。
【請求項３】
前記表示画像の書き換え準備中であることの表示は、表示面全体を、所定時間前記暗状態と前記明状態の一方にした後、前記暗状態と前記明状態の他方に戻す反転表示を繰り返し行い、前記反転表示の間隔を徐々に短くするように表示されることを特徴とする請求項２に記載の表示装置。
【請求項４】
前記表示画像の書き換え準備中であることの表示は、前記表示面を、前記暗状態と前記明状態の一方の第１帯と、前記暗状態と前記明状態の他方の第２帯と、に分割し、前記第１および第２帯の割合が、変化するように表示されることを特徴とする請求項２に記載の表示装置。
【請求項５】
前記表示画像の書き換え準備中であることの表示は、表示面に、前記暗状態と前記明状態の一方の帯を表示し、前記帯以外の部分を前記暗状態と前記明状態の他方の状態にし、前記帯の位置が、変化するように表示されることを特徴とする請求項２に記載の表示装置。
【請求項６】
明状態、暗状態および前記明状態と前記暗状態の間の１つ以上の中間状態を表示し、前記表示にメモリ性を有する表示装置の駆動方法であって、
表示画像の書き換え指示を受信し、
書き換えを指示された前記表示画像の書き換え準備時間を予測し、
前記表示画像の書き換え準備処理を開始し、
前記表示画像の書き換え準備中に、前記明状態および前記暗状態の表示を使用して、予測した前記準備時間と経過時間から算出した残り時間に応じて表示を異ならせて、書き換え準備中であることを表示し、
前記表示画像の書き換え準備が完了した後、前記表示画像を書き換える、ことを特徴とする表示装置の駆動方法。
【発明の詳細な説明】
【技術分野】
【０００１】
本発明は、表示装置および表示装置の駆動方法に関する。
【背景技術】
【０００２】
ＣＲＴ、ネマティック液晶を使用する液晶表示デバイス、有機ＥＬ表示デバイスなどの表示装置では、ユーザーが画像の表示を指示した後、実際に表示デバイスに指示された画像が表示されるまで時間がかかる（数秒以上）場合が起こり得る。このような場合、ユーザーに待ち時間のストレスを感じさせることがないよう、後どれくらいの時間で画像表示処理がなされるかを一定時間間隔で画面表示内容（進捗率を示す内容）を書き換えて通知することが行われている。
【０００３】
進捗率は、プログレスバーと呼ばれる表示パターンを表示するか、処理済みの割合または残留の割合を数値（パーセント）表示するのが一般的である。この場合、プログレスバーの長さおよび割合表示は、ユーザーに待つストレスを感じさせない時間間隔で書き換えられる。
【０００４】
一方、電子ペーパーなどの表示装置は、低消費電力であることが要求される。そのような要求を満たす表示装置として、電力をほとんど電力消費することなしに表示した画像を維持できるメモリ性を有する表示デバイスが提案されている。コレステリック液晶を利用する表示デバイス（以下、コレステリック液晶表示デバイスと称す）は、コレステリック液晶のメモリ性を利用するので、表示した画像をほとんど電力消費することなしに維持できるため、低消費電力の表示装置である。
【０００５】
コレステリック液晶は、ホメオトロピック状態、プレーナー状態およびフォーカルコニック状態の３状態を有する液晶である。ホメオトロピック状態は暗状態であり、プレーナー状態は明状態であり、フォーカルコニック状態は暗状態と明状態の中間状態である。液晶は、比較的高電圧（以下、単に高電圧と称する）を印加するとホメオトロピック状態になり、印加電圧を急激に低下させるとプレーナー状態になり、中間電圧を印加するとフォーカルコニック状態になる。
【０００６】
コレステリック液晶表示デバイスにおける画像表示方法は各種提案されているが、低消費電力の点からは、次の方法が用いられる。すなわち、高電圧を所定時間以上印加してホメオトロピック状態にした後、印加電圧を急激に低下させてプレーナー状態とする。その後、中間電圧を印加してプレーナー状態とフォーカルコニック状態が混在した状態にして中間調を表示する。中間調のレベルは、プレーナー状態とフォーカルコニック状態の混在比率に対応し、中間電圧を印加する期間を変化させて中間調レベルを設定する。このため、画面の表示を書き換えるには長時間を要する。
【先行技術文献】
【特許文献】
【０００７】
【特許文献１】特開２００８−２６８５６６号公報
【特許文献２】特開２００６−２３５４４４号公報
【特許文献３】特開２００８−１９７５５７号公報
【発明の概要】
【発明が解決しようとする課題】
【０００８】
上記のように、コレステリック液晶表示デバイスで画像を書き換えるには長時間を要するため、進捗率をプログレスバーの長さおよび割合の数値を、ユーザーにストレスを感じさせない時間間隔で書き換えることはできないという問題があった。
【課題を解決するための手段】
【０００９】
発明の一観点によれば、明状態、暗状態および明状態と暗状態の間の１つ以上の中間状態を表示し、表示にメモリ性を有する表示デバイスと、表示デバイスに表示画像を書き込む駆動回路と、表示画像の書き換え指示を受信する受信回路と、指示された画像を表示するように駆動回路を制御する制御回路と、を備え、制御回路は、受信回路が書き換え指示を受信した後、表示画像の書き換え準備中であることを、明状態および暗状態の表示を使用して表示するように、駆動回路を制御する表示装置が提供される。
【発明の効果】
【００１０】
上記の観点によれば、要求された表示の書き換えの進捗率を適切に表示できる表示にメモリ性を有する表示デバイスを利用した表示装置が実現される。
【図面の簡単な説明】
【００１１】
【図１】図１は、実施例１の表示装置１の全体構成を示す図である。
【図２】図２は、制御回路により実現される機能部分で、実施例１に関係する部分を示す図である。
【図３】図３は、コレステリック液晶の配向状態の遷移を示す図である。
【図４】図４は、実施例１の表示装置における進捗率をユーザーに通知する動作を説明する図である。
【図５】図５は、実施例１の表示装置において、ユーザーが画像の書き換えを指示した場合に、準備処理の進捗率をユーザーに通知するための制御回路における処理を示すフローチャートである。
【図６】図６は、実施例２の表示装置における進捗率をユーザーに通知する動作を説明する図である。
【図７】図７は、実施例２の表示装置において、ユーザーが画像の書き換えを指示した場合に、準備処理の進捗率をユーザーに通知するための制御回路における処理を示すフローチャートである。
【図８】図８は、実施例３の表示装置における進捗率をユーザーに通知する動作を説明する図である。
【図９】図９は、実施例４の表示装置における進捗率をユーザーに通知する動作を説明する図である。
【図１０】図１０は、実施例４の表示装置において、ユーザーが画像の書き換えを指示した場合に、準備処理の進捗率をユーザーに通知するための制御回路における処理を示すフローチャートである。
【発明を実施するための形態】
【００１２】
以下、本発明の実施形態について、図面を参照して具体的に説明する。
【実施例１】
【００１３】
実施例１について、図１から図５を参照して説明する。
【００１４】
図１は、実施例１の表示装置１の全体構成を示す図である。
【００１５】
実施例１の表示装置１は、表示デバイス１０と、駆動回路を形成するコモンドライバ１５およびセグメントドライバ１６と、電源２１と、昇圧部２２と、電圧切替部２３と、電圧安定部２４と、原クロック部２５と、分周部２６と、制御回路２７と、メモリ２８と、ユーザー指示入力回路２９と、を有する。
【００１６】
表示デバイス１０は、反射波長の異なる３枚のコレステリック液晶パネル１０Ｂ、１０Ｇおよび１０Ｒを積層したコレステリック液晶カラー表示素子である。パネル１０Ｂ、１０Ｇおよび１０Ｒは、同じ構成を有するが、白色光を照射した時の反射光の中心波長が、それぞれ青色（約４８０ｎｍ）、緑色（約５５０ｎｍ）および赤色（約６３０ｎｍ）になるように、液晶材料およびカイラル材が選択され、カイラル材の含有率が決定されている。パネル１０Ｂ、１０Ｇおよび１０Ｒは、パネルに垂直な方向から見ると交差するように配置されたコモン電極およびデータ電極を有する。
【００１７】
電源２１は、例えば３Ｖ〜５Ｖ程度の電圧を出力する。昇圧部２２は、ＤＣ−ＤＣコンバータなどのレギュレータにより、電源２１からの入力電圧を３６Ｖ〜４０Ｖ程度に昇圧する。この昇圧レギュレータは、専用ＩＣが広く使用されており、そのＩＣにはフィードバック電圧を設定することにより、昇圧電圧を調整する機能を有している。従って、抵抗による分圧などにより生成した複数の電圧を選択してフィードバック端子に供給するように構成することで、昇圧電圧を変化させることが可能である。
【００１８】
電圧切替部２３は、抵抗分割などにより各種の電圧を生成する。電圧切替部２３におけるリセット電圧と階調書込み電圧のスイッチングには、高耐圧のアナログスイッチを用いてもよいが、トランジスタによる単純なスイッチング回路を使用することも可能である。電圧安定部２４は、電圧切替部２３から供給される各種の電圧を安定化させるために、オペアンプのボルテージフォロア回路を使用することが望ましい。オペアンプは、容量性負荷に対して強い特性を有するものを使用するのが望ましい。なお、オペアンプに接続する抵抗を切り替えることにより増幅率を切り替える構成が広く知られており、この構成を使用すれば、電圧安定部２４から出力する電圧を容易に切り替えることが可能である。
【００１９】
原クロック部２５は、動作の基本となる基本クロックを発生する。分周部２６は、基本クロックを分周して、後述する動作に必要な各種クロックを生成する。
【００２０】
メモリ２８は、表示する複数の画像データを記憶している。ユーザー指示入力回路２９は、表示画像を切り換えるなどのユーザー指示を受ける回路で、例えば表示装置１の前面に設けられた操作スイッチなどを含む。
【００２１】
制御回路２７は、例えばマイクロコンピュータなどにより実現され、基本クロック、各種クロックおよびメモリ２８から読み出した画像データに基づいて制御信号を生成して、コモンドライバ１５およびセグメントドライバ１６に供給する。
【００２２】
コモンドライバ１５はパネル１０Ｂ、１０Ｇ、１０Ｒのコモン電極に電圧を印加し、セグメントドライバ１６は各パネルのデータ電極に電圧を印加し、コモン電極とデータ電極の印加電圧の差電圧が各画素に印加される。ＲＧＢの各画素に与える画像データが異なるため、セグメントドライバ１６は、パネル１０Ｂ、１０Ｇ、１０Ｒの各データラインに独立に電圧を印加する。実施例１では、コモンドライバ１５は、パネル１０Ｂ、１０Ｇ、１０Ｒのコモン電極に独立して電圧を印加する。しかし、コモンドライバ１５が、パネル１０Ｂ、１０Ｇ、１０Ｒのコモン電極に共通の電圧を印加する場合もあり、その場合には、セグメントドライバ１６は、パネル１０Ｂ、１０Ｇ、１０Ｒの各データラインに同時に電圧を印加する。
【００２３】
図２は、制御回路２７により実現される機能部分で、実施例１に関係する部分を示す図である。制御回路２７は、画像データ読出部３１と、画像データ変換部３２と、画像データサイズ検出部３３と、予測待ち時間算出部３４と、印加タイミング計時部３５と、電圧印加エリア指定部３６と、を有する。画像データ読出部３１は、メモリ２８から、書き換える画像のデータを読み出す。画像データ変換部３２は、画像データを表示デバイス１０の電圧印加情報に変換する。画像データサイズ検出部３３は、書き換えを指示された画像のデータサイズを、画像データ読出部３１がデータの読み出しを開始する時に検出する。予測待ち時間算出部３４は、ユーザー指示入力回路２９からの書き換え指示に応答して、画像データサイズ検出部３３が算出した画像データサイズから、電圧印加情報に変換するまでに要する準備時間を予測する。画像データ読出部３１、画像データ変換部３２、印加タイミング計時部３５および電圧印加エリア指定部３６は、コレステリック液晶パネルを使用する一般的な表示装置と同様に実現される。
【００２４】
画像データ読出部３１が、書き換える画像データをメモリ２８から読み出し、画像データ変換部３２が、読み出した画像データを電圧印加情報へ変換するが、これらの処理にある程度の時間を要する。これらの処理を行っている間、ユーザーは処理が進められていることを知らずに画像の書き換えが開始されるのを待つことになり、ユーザーがストレスを感じることになる。このようなユーザーに対するストレスを低減するため、処理の進捗率を表示する。特に、低消費電力を実現するため、処理速度の低いマイクロコンピュータで制御回路２７を実現し、メモリ２８も低速である場合には、これらの処理時間が長くなる。このため、進捗率をユーザーにストレスを感じさせない時間間隔で表示することが好ましい。
【００２５】
実施例１の表示装置１では、画像データサイズ検出部３３が、書き換える画像データのメモリ２８からの読み出しを開始する時に、書き換える画像データのサイズを検出する。上記の画像データの読出処理時間および変換処理時間は、画像データのサイズにほぼ比例する。そこで、予測待ち時間算出部３４は、画像データサイズ検出部３３の検出した画像データのサイズに基づいて、読出処理時間および変換処理時間の合計時間を予測する。そして、この合計時間に応じて、進捗率をユーザーに提示する処理を行う。
【００２６】
次に、コレステリック液晶パネルの表示方法について説明する。
【００２７】
図３は、コレステリック液晶の配向状態の遷移を示す図である。図３の（Ａ）に示すように、コレステリック液晶は、ホメオトロピック状態と、プレーナー状態と、フォーカルコニック状態の３つの配向状態をとり得る。ホメオトロピック状態は、すべての液晶分子の長軸が基板に垂直に配向した状態である。観察面から入射した光は、液晶層を透過して裏面の光吸収層に吸収されるため、暗表示の状態である。プレーナー状態は、液晶分子を連ねた螺旋の螺旋軸が基板に垂直に配向した状態である。観察面から入射した光は、液晶層で反射されるため、明表示の状態である。この状態では、液晶分子の長軸は、基板に平行である。フォーカルコニック状態は、液晶分子を連ねた螺旋の螺旋軸が基板に平行に配向した状態である。この状態では、長軸が基板に平行な液晶分子、長軸が基板に垂直な液晶分子およびその中間の液晶分子が存在する。観察面から入射した光は、一部は液晶層で反射され、一部は透過して光吸収層に吸収されるため、明と暗の間の中間調表示の状態である。また、１画素内で、プレーナー状態とフォーカルコニック状態が混在する状態もある。
【００２８】
液晶は、高電圧のＨＴ電圧を印加することによりホメオトロピック状態になり、ホメオトロピック状態を維持するにはＨＴ電圧を印加し続けることが好ましい。ＨＴ電圧を所定時間以上印加してホメオトロピック状態にした後、印加電圧を急激に低下させると、液晶はプレーナー状態になる。プレーナー状態の液晶に比較的低電圧のＦＣ電圧を印加すると、液晶はフォーカルコニック状態になる。プレーナー状態からフォーカルコニック状態に変化する液晶分子の割合は、ＦＣ電圧を印加する累積時間に応じて変化し、ＦＣ電圧の大きさに応じても変化する。
【００２９】
したがって、図３の（Ａ）に示すように、プレーナー状態およびフォーカルコニック状態のいずれかでも、ＨＴ電圧を印加すれば液晶はホメオトロピック状態になる。ホメオトロピック状態でＨＴ電圧の印加を停止すればプレーナー状態になり、プレーナー状態でＦＣ電圧を印加すればフォーカルコニック状態になる。
【００３０】
図３の（Ｂ）に示すように、プレーナー状態が表示の最高輝度に、ホメオトロピック状態が表示の最低輝度に、それぞれ対応する。また、プレーナー状態とフォーカルコニック状態との混在状態が表示の中間輝度に対応し、混在比率で中間輝度レベルが決まる。
【００３１】
実施例１の表示装置１は、低消費電力の点から、次の表示方法を用いる。すなわち、表示面全面に高電圧を所定時間以上印加してホメオトロピック状態にした後、印加電圧を急激に低下させて全面をプレーナー状態とするリセット処理を行った後、中間電圧を印加してプレーナー状態とフォーカルコニック状態が混在した状態にして中間調を表示する書き込み処理を行う。中間調のレベルは、中間電圧を印加する期間を調整して行う。実際には、中間電圧を印加するフレームを印加時間の異なる複数のサブフレームで構成し、各画素ごとにオンにするサブフレームを選択して、中間電圧が印加される累積時間と中間調レベルとを対応させている。表示の最低輝度に対応する状態は、液晶のほとんどがフォーカルコニック状態である。そのため、表示の最低輝度は、ホメオトロピック状態に対応する輝度より若干明るい状態である。
【００３２】
コモンドライバ１５およびセグメントドライバ１６は、全面に同じ電圧を印加する動作は非常に短時間に行える。ところが、画素ごとに電圧を印加する動作は印加範囲を指示するデータをドライバ内で転送する必要があるため、ある程度の時間を要する。上記のように、ＨＴ電圧を印加すれば液晶はホメオトロピック状態になり、この状態で電圧の印加を停止すればプレーナー状態となるので、全面をホメオトロピック状態とプレーナー状態にするのは非常に短時間で行える。これに対して、画像を書き込むには、全面をプレーナー状態にした後、画像に対応する画素に電圧印加してフォーカルコニック状態にするため長時間を要する。なお、表示面において帯状に均一な電圧を印加する動作は、全面に同じ電圧を印加するのに比べて処理時間は長くなるが、画像を書き込むのに比べて短時間で、ユーザーにとってストレスを感じさせない時間（数ミリ秒）で実行できる。そのため、表示面において帯状に、液晶をホメオトロピック状態とプレーナー状態にする表示は、ユーザーにとってストレスを感じさせない時間（数ミリ秒）で実行できる。
【００３３】
実施例１の表示装置１は、非常に短時間に実行できるプレーナー状態またはフォーカルコニック状態からホメオトロピック状態に変化させた後再びプレーナー状態に戻す処理により、画像書き換え準備の進捗率を表示する。このような状態間での液晶の状態変化は、液晶輝度値の大きな変化を伴うため、ユーザーはその変化を認識できる。このような数ミリ秒で液晶輝度値の大きな変化をさせる処理を、以下コレステリック液晶のフラッシュと呼ぶ。言い換えれば、実施例１の表示装置１は、全面でのフラッシュを利用して進捗率を表示する。
【００３４】
実施例１の表示装置１は、全面でのフラッシュを、書き換え動作開始までの待ち時間の間、繰り返し発生させ、フラッシュと次のフラッシュとの時間間隔を、書き換え開始時刻に近づくにつれて短くすることで、待ち時間の減少をユーザーに通知する。言い換えれば、フラッシュ間隔が広いと進捗率が低く、フラッシュ間隔が狭いほど進捗率が高い。
【００３５】
図４は、実施例１の表示装置１における進捗率をユーザーに通知する動作を説明する図である。
【００３６】
コレステリック液晶表示デバイス１０は、表示面２に隣接して設けられた操作スイッチ３を有する。ユーザーが操作スイッチ３を操作すると表示画像の書き換えが指示される。書き換える画像の選択は、図示していない入力インターフェースを介して適宜行われる。この操作に応じて、画像データ読出部３１はメモリ２８から選択された画像データの読出処理を、画像データ変換部３２は画像データ変換処理を開始する。この時、画像データサイズ検出部３３は、まず書き換える画像データのサイズを検出し、予測待ち時間算出部３４が、予測待ち時間を算出する。ここでは、算出した予測待ち時間をＴ秒とする。
【００３７】
そして、３枚のパネルの液晶を表示面２の全面でホメオトロピック状態へと遷移させるＨＴ電圧を、例えば１０ミリ秒（ｍｓ）程度印加すると共に、Ｘ０秒の計時処理を開始する。これにより、暗（黒）表示が１０ｍｓ間程度行われた後、明（白）表示に戻りその状態が維持され、ユーザーに画像書き換えのための準備処理が開始されたことを知らせる。
【００３８】
Ｘ０秒を計時すると、再び３枚のパネルの液晶を表示面２の全面でホメオトロピック状態へと遷移させるＨＴ電圧を、例えば１０ミリ秒（ｍｓ）程度印加すると共に、Ｘ１秒の計時処理を開始する。これにより、表示面２が一瞬黒表示に変化し、ユーザーに画像書き換えのための準備処理が実行中であることを知らせる。ここで、Ｘ０＞Ｘ１である。
【００３９】
計時する時間をＸ０、Ｘ１、…、Ｘｎ（Ｘ０＞Ｘ１＞…＞Ｘｎ）の順に変化させながら上記の処理を繰り返す。ここでは、前後のフラッシュの間隔はａ秒であるとする。約Ｔ秒が経過すると、画像書き換えのための準備処理が完了するので、プレーナー状態の液晶パネルでＦＣ電圧を印加して画像の書き込みを開始する。なお、Ｘ０およびＸｎはあらかじめ決められているものとする。
【００４０】
前述のように、画像の書き込みは、印加時間の異なる複数フレームでＦＣ電圧を印加し、その印加時間の累積で表示輝度を制御する。この時、ユーザーに画像の書き込みが開始されたことを知らせるために、重み付けの大きなフレームから順に実行して、ユーザーが画像の輪郭をすぐに認識できるようにすることが望ましい。
【００４１】
なお、ここでは、メモリ２８はあらかじめ複数の画像のデータが記憶されており、ユーザーはそれらの画像から表示する画像を選択するが、ユーザーの指示に応じて外部からメモリ２８に画像データを転送することも可能である。
【００４２】
図５は、実施例１の表示装置１において、ユーザーが画像の書き換えを指示した場合に、準備処理の進捗率をユーザーに通知するための制御回路２７における処理を示すフローチャートである。
【００４３】
ステップ１０１では、ユーザー指示入力回路２９が、ユーザーによる画像の書き換え指示が受信されたか否かを判定し、画像の書き換え指示を受信するまで待機し、指示を受信するとステップ１０２に進む。
【００４４】
ステップ１０２では、画像データサイズ検出部３３が、メモリ２８にアクセスして指示された画像のデータサイズを検出する。
【００４５】
ステップ１０３では、予測待ち時間算出部３４が、読出時間Ｔ１および変換時間Ｔ２を算出する。
【００４６】
ステップ１０４では、予測待ち時間算出部３４が、さらに予測待ち時間Ｔ＝Ｔ１＋Ｔ２を算出する。
【００４７】
ステップ１０５では、制御回路２７が、時間Ｔの間に行うフラッシュ動作の回数ｎおよびフラッシュごとに短くする計時時間の差ａを決定する。ここで、開始直後の１回のフラッシュは、回数ｎに含めないものとする。ｎは、２Ｔ／（Ｘ０＋Ｘｎ）の整数値から１減じた値である。また、ａ＝（Ｘ０−Ｘｎ）／ｎである。
【００４８】
ステップ１０６で、制御回路２７が、Ｘ＝Ｘ０と設定する。
【００４９】
ステップ１０７で、制御回路２７が、タイマー機能を利用してＸの計時を開始する。
【００５０】
ステップ１０８で、制御回路２７が、３枚のパネルの液晶を表示面２の全面でホメオトロピック状態へと遷移させるＨＴ電圧を、例えば１０ミリ秒（ｍｓ）程度印加するように、各部を制御する。これにより、暗（黒）表示が１０ｍｓ間程度行われた後、明（白）表示に戻りその状態が維持され、ユーザーは表示が一時的に暗（黒）表示に変化したことを知る。
【００５１】
ステップ１０９では、画像データ読出部３１および画像データ変換部３２が、単位データ量の読出および変換処理を行う。
【００５２】
ステップ１１０では、制御回路２７が、読出および変換処理が終了したかを判定し、終了していればステップ１１３に進み、終了していなければステップ１１１に進む。
【００５３】
ステップ１１１では、制御回路２７が、Ｘ秒経過したかを判定し、経過していなければステップ１０９に戻り、経過していればステップ１１２に進む。
【００５４】
ステップ１１２では、制御回路２７が、Ｘ−ａを算出し、それをＸに設定し、ステップ１０７に戻る。
【００５５】
以下、ステップ１０７からステップ１１２が繰り返され、読出および変換処理が終了するまで、すなわち書き換えの準備が終了するまでの間、フラッシュの間隔が徐々に短くしながら全面のフラッシュによりユーザーに書き換えの準備中であることを知らせる。読出および変換処理が終了すると、ステップ１１０からステップ１１３に進み、ステップ１１３で表示画像の書込処理を行い、ステップ１０１に戻る。
【実施例２】
【００５６】
次に、実施例２について、図６および図７を参照して説明する。
【００５７】
実施例２の表示装置１は、進捗率をユーザーに通知する動作が異なるのみで、他の部分は実施例１の表示装置１と同じである。実施例２の表示装置１は、フラッシュの時間間隔は一定で、表示面２が一瞬帯状に暗（黒）表示に変化するフラッシュが行われ、暗（黒）表示の帯幅の変化で、ユーザーに画像書き換えのための準備処理の進捗率を知らせる。
【００５８】
図６は、実施例２の表示装置１における進捗率をユーザーに通知する動作を説明する図である。
【００５９】
実施例２の表示装置１では、ユーザーが操作スイッチ３を操作すると、画像データの読出・変換処理を開始すると共に、予測待ち時間Ｔ秒を算出する。そして、３枚のパネルの液晶を表示面２の全面でホメオトロピック状態へと遷移させるＨＴ電圧を、例えば１０ミリ秒（ｍｓ）程度印加するフラッシュを行うと共に、Ｚ秒の計時処理を開始する。これにより、暗（黒）表示が１０ｍｓ間程度行われた後、明（白）表示に戻りその状態が維持され、ユーザーに画像書き換えのための準備処理が開始されたことを知らせる。
【００６０】
Ｚ秒を計時すると、３枚のパネルの液晶を、表示面２の横方向の狭い帯の範囲でホメオトロピック状態へと遷移させるＨＴ電圧を１０ミリ秒（ｍｓ）程度印加する。この時、他の部分にはＨＴ電圧を印加しないので、プレーナー状態が維持される。そして、Ｚ秒の計時処理を開始する。ここで、Ｚはあらかじめ決められているとする。これにより、表示面２が一瞬帯状に黒表示に変化するフラッシュが行われ、暗（黒）表示の帯幅の変化で、ユーザーに画像書き換えのための準備処理の進捗率を知らせる。言い換えれば、帯幅が狭いと進捗率が低く、帯幅が広いほど進捗率が高い。
【００６１】
以下、ホメオトロピック状態へと遷移させるＨＴ電圧を印加する帯の幅を徐々に増加させながら、Ｚ秒ごとに上記のフラッシュを繰り返す。
【００６２】
図７は、実施例２の表示装置１において、ユーザーが画像の書き換えを指示した場合に、準備処理の進捗率をユーザーに通知するための制御回路２７における処理を示すフローチャートである。
【００６３】
ステップ２０１から２０４は、実施例１と同じである。
【００６４】
ステップ２０５では、制御回路２７が、時間Ｔの間に行うフラッシュ動作の回数ｎおよびフラッシュごとに増加させる帯の幅ｙ０を決定する。ここで、開始直後の１回のフラッシュは、回数ｎに含めないものとする。ｎは、Ｔ／Ｚの整数値を１増加した値である。また、ｙ０＝表示パネルのライン数／ｎの整数値を１増加した値である。
【００６５】
ステップ２０６で、制御回路２７が、３枚のパネルの液晶を表示面２の全面でホメオトロピック状態へと遷移させるＨＴ電圧を、例えば１０ミリ秒（ｍｓ）印加するように、各部を制御する。これにより、暗（黒）表示が１０ｍｓ間程度行われた後、明（白）表示に戻りその状態が維持され、ユーザーは表示が一時的に暗（黒）表示に変化したこと、すなわち準備処理が開始されたことを知る。
【００６６】
ステップ２０７で、制御回路２７が、ｙ＝ｙ０と設定する。
【００６７】
ステップ２０８で、制御回路２７が、タイマー機能を利用してＺ秒の計時を開始する。
【００６８】
ステップ２０９では、画像データ読出部３１および画像データ変換部３２が、単位データ量の読出および変換処理を行う。
【００６９】
ステップ２１０では、制御回路２７が、読出および変換処理が終了したかを判定し、終了していればステップ２１６に進み、終了していなければステップ２１１に進む。
【００７０】
ステップ２１１では、制御回路２７が、Ｚ秒経過したかを判定し、経過していなければステップ２０９に戻り、経過していればステップ２１２に進む。
【００７１】
ステップ２１２で、制御回路２７が、３枚のパネルの液晶を表示面２の０〜ｙの帯でホメオトロピック状態へと遷移させるＨＴ電圧を、例えば１０ミリ秒（ｍｓ）程度印加するように、各部を制御する。これにより、帯の部分で暗（黒）表示が１０ｍｓ間程度行われた後、明（白）表示に戻りその状態が維持され、ユーザーは表示が一時的に暗（黒）表示に変化したことを知る。
【００７２】
ステップ２１３で、制御回路２７が、ｙ＝ｙ＋ｙ０、すなわち帯の幅をｙ０だけ増加する。
【００７３】
ステップ２１４で、制御回路２７が、ｙが表示面２のライン数を超えたかを判定し、超えていなければステップ２０８に戻り、超えていればステップ２１５に進む。
【００７４】
ステップ２１４で、ｙをライン数に設定して、ステップ２０８に戻る。
【００７５】
以下、ステップ２０８からステップ２１５が繰り返され、読出および変換処理が終了するまで、すなわち書き換えの準備が終了するまでの間、帯びの幅を徐々に広くしながら、等しい時間間隔でフラッシュを行い、それによりユーザーに書き換えの準備中であることを知らせる。読出および変換処理が終了すると、ステップ２１０からステップ２１６に進み、ステップ２１６で表示画像の書込処理を行い、ステップ２０１に戻る。
【実施例３】
【００７６】
次に、実施例３について、図８を参照して説明する。
【００７７】
実施例３の表示装置１は、進捗率をユーザーに通知する動作が異なるのみで、他の部分は実施例２の表示装置１と同じである。実施例３の表示装置１は、フラッシュの時間間隔は一定で、表示面２が一瞬帯状に暗（黒）表示に変化するフラッシュが行われ、暗（黒）表示の帯幅の位置変化で、ユーザーに画像書き換えのための準備処理の進捗率を知らせる。
【００７８】
図８は、実施例３の表示装置１における進捗率をユーザーに通知する動作を説明する図である。
【００７９】
実施例３の表示装置１では、ユーザーが操作スイッチ３を操作すると、画像データの読出・変換処理を開始すると共に、予測待ち時間Ｔ秒を算出する。そして、３枚のパネルの液晶を表示面２の全面でホメオトロピック状態へと遷移させるＨＴ電圧を、例えば１０ミリ秒（ｍｓ）程度印加するフラッシュを行うと共に、Ｚ秒の計時処理を開始する。これにより、暗（黒）表示が１０ｍｓ間程度行われた後、明（白）表示に戻りその状態が維持され、ユーザーに画像書き換えのための準備処理が開始されたことを知らせる。
【００８０】
Ｚ秒を計時すると、３枚のパネルの液晶を、表示面２の横方向の狭い帯の範囲でホメオトロピック状態へと遷移させるＨＴ電圧を、例えば１０ミリ秒（ｍｓ）印加する。この時、他の部分にはＨＴ電圧を印加しないので、プレーナー状態が維持される。そして、Ｚ秒の計時処理を開始する。これにより、表示面２が一瞬帯状に黒表示に変化するフラッシュが行われ、暗（黒）表示の帯の位置変化により、ユーザーに画像書き換えのための準備処理の進捗率を知らせる。言い換えれば、帯の位置が下側であると進捗率が低く、帯の位置が上側であるほど進捗率が高い。
【００８１】
以下、ホメオトロピック状態へと遷移させるＨＴ電圧を印加する帯の位置を徐々に上方に移動させながら、Ｚ秒ごとに上記のフラッシュを繰り返す。
【００８２】
実施例３の表示装置１における準備処理の進捗率をユーザーに通知するための制御回路２７における処理は、図７の実施例２のフローチャートと類似している。ステップ２１２で、実施例２においてはホメオトロピック状態にする電圧を印加する範囲を、０からｙ０としたのに対して、ｙ−ｙ０からｙの間とすることのみが異なる。
【実施例４】
【００８３】
次に、実施例４について、図９および図１０を参照して説明する。
【００８４】
実施例４の表示装置１は、進捗率をユーザーに通知する動作が異なるのみで、他の部分は実施例１から３の表示装置１と同じである。実施例４の表示装置１は、フラッシュの時間間隔は一定で、表示面２の全面を暗（黒）表示に変化するフラッシュが行われ、暗（黒）表示にするパネルの組合せを異ならせ、色の変化により、ユーザーに画像書き換えのための準備処理の進捗率を知らせる。
【００８５】
図９は、実施例４の表示装置１における進捗率をユーザーに通知する動作を説明する図である。
【００８６】
実施例４の表示装置１では、ユーザーが操作スイッチ３を操作すると、画像データの読出・変換処理を開始すると共に、予測待ち時間Ｔ秒を算出する。そして、３枚のパネル（Ｒ＋Ｇ＋Ｂ）の液晶を表示面２の全面でホメオトロピック状態へと遷移させるＨＴ電圧を、例えば１０ミリ秒（ｍｓ）程度印加するフラッシュを行うと共に、Ｚ秒の計時処理を開始する。ここで、Ｚはあらかじめ決められているとする。これにより、暗（黒）表示が１０ｍｓ間程度行われた後、明（白）表示に戻りその状態が維持され、ユーザーに画像書き換えのための準備処理が開始されたことを知らせる。
【００８７】
Ｚ秒を計時すると、２枚のパネル（Ｒ＋Ｇ）の液晶を表示面２の全面でホメオトロピック状態へと遷移させるＨＴ電圧を、例えば１０ミリ秒（ｍｓ）程度印加するフラッシュを行う。この時、１枚のパネル（Ｂ）の液晶には電圧を印加せずに、プレーナー状態を維持する。そして、さらにＺ秒の計時処理を開始する。これにより、表示面２の全面が青色になるフラッシュが行われる。以下、ホメオトロピック状態へと遷移させるパネルを、Ｒ、Ｒ＋Ｂ、Ｂ、Ｇ＋Ｂの順に変化させながら、同様のフラッシュ動作を行い、フラッシュの色の変化により、ユーザーに画像書き換えのための準備処理の進捗率を知らせる。
【００８８】
図１０は、実施例４の表示装置１において、ユーザーが画像の書き換えを指示した場合に、準備処理の進捗率をユーザーに通知するための制御回路２７における処理を示すフローチャートである。
【００８９】
ステップ３０１から３０４は、実施例１と同じである。
【００９０】
ステップ３０５では、制御回路２７が、フラッシュ動作の時間間隔ＴＸを算出する。時間Ｔの間に６回のフラッシュ動作を行うので、時間間隔ＴＸ＝Ｔ／５である。
【００９１】
ステップ３０６で、制御回路２７が、変数ｐをゼロに初期化する。
【００９２】
ステップ３０７で、制御回路２７が、Ｃ（ｐ）で指示されるパネルの全面でホメオトロピック状態へと遷移させるＨＴ電圧を、例えば１０ミリ秒（ｍｓ）程度印加するように、各部を制御する。Ｃ（ｐ）は、変数に応じてパネルを指示し、実施例４では、Ｃ（０）はＲ、ＧおよびＢの３枚のパネルを、Ｃ（１）はＲおよびＧの２枚のパネルを、Ｃ（２）はＲの１枚のパネルを、Ｃ（３）はＲおよびＢの２枚のパネルを、Ｃ（４）はＢの１枚のパネルを、Ｃ（５）はＧおよびＢの２枚のパネルを、指示する。これにより、ｐ＝０の時には、暗（黒）表示のフラッシュが１０ｍｓ間行われ、ｐ＝１の時には、青色表示のフラッシュが１０ｍｓ間程度行われ、ｐ＝２の時には、水色表示のフラッシュが１０ｍｓ間程度行われ、ｐ＝３の時には、緑色表示のフラッシュが１０ｍｓ間程度行われ、ｐ＝４の時には、黄色表示のフラッシュが１０ｍｓ間程度行われ、ｐ＝５の時には、赤色表示のフラッシュが１０ｍｓ間程度行われ、ユーザーは準備処理が開始されたことおよび進捗率をフラッシュの色により知ることができる。
【００９３】
ステップ３０８で、制御回路２７が、タイマー機能を利用してＺ秒の計時を開始する。
【００９４】
ステップ３０９では、画像データ読出部３１および画像データ変換部３２が、単位データ量の読出および変換処理を行う。
【００９５】
ステップ３１０では、制御回路２７が、読出および変換処理が終了したかを判定し、終了していればステップ３１３に進み、終了していなければステップ３１１に進む。
【００９６】
ステップ３１１では、制御回路２７が、Ｚ秒経過したかを判定し、経過していなければステップ３０９に戻り、経過していればステップ３１２に進む。
【００９７】
ステップ３１２で、制御回路２７が、ｐの値を１増加し、ステップ３０７に戻る。
【００９８】
以下、ステップ３０７からステップ３１２が繰り返され、読出および変換処理が終了するまで、すなわち書き換えの準備が終了するまでの間、等しい時間間隔で表示色を変えながらフラッシュを行い、それによりユーザーに書き換えの準備中であることを知らせる。
【００９９】
読出および変換処理が終了すると、ステップ３１０からステップ３１３に進み、ステップ３１３で表示画像の書込処理を行い、ステップ３０１に戻る。
【０１００】
以上説明したように、実施例１から実施例４によれば、コレステリック液晶を使った低消費電力の表示装置において、ユーザーが画像の表示を指示した後、指示された画像が表示されるまでの間、残り待ち時間が認識できる情報を提示することできる。これにより、書き換えが開始されるまでの待ち時間におけるユーザーのストレスを低減できる。また、進捗率の表示を、待ち時間提示用デバイスを機器に付加すること無く行えるので、コストおよびスペースの増加が無い。
【０１０１】
以上説明した実施例１から実施例４において、時間間隔および回数、表示色、表示パターンには各種の変形例が可能であることは、当業者には容易に理解可能である。また、コレステリック液晶を使った表示装置を例として説明を行ったが、説明した構成は、類似の特性を有する表示装置に適用可能であることはいうまでもない。
【０１０２】
以上、実施形態を説明したが、ここに記載したすべての例や条件は、発明および技術に適用する発明の概念の理解を助ける目的で記載されたものであり、特に記載された例や条件は発明の範囲を制限することを意図するものではなく、明細書のそのような例の構成は発明の利点および欠点を示すものではない。発明の実施形態を詳細に記載したが、各種の変更、置き換え、変形が発明の精神および範囲を逸脱することなく行えることが理解されるべきである。
【符号の説明】
【０１０３】
１０    コレステリック液晶表示デバイス
１０Ｂ，１０Ｇ、１０Ｒ    コレステリック液晶パネル
１５    コモンドライバ
１６    セグメントドライバ
２７    制御回路
２８    メモリ
２９    ユーザー指示入力回路
３１    画像データ読出部
３２    画像データ変換部
３３    画像データサイズ検出部
３４    予測待ち時間算出部
【図１】
2011197608.tif 000003
【図２】
2011197608.tif 000004
【図３】
2011197608.tif 000005
【図４】
2011197608.tif 000006
【図５】
2011197608.tif 000007
【図６】
2011197608.tif 000008
【図７】
2011197608.tif 000009
【図８】
2011197608.tif 000010
【図９】
2011197608.tif 000011
【図１０】
2011197608.tif 000012